【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】  セラミック製ディスクダイバータバルブにおいて、このセラミック製ディスクダイバータバルブは、
入口と、第１の出口と、第２の出口とを具備する、本体であって、該本体が第２の入口と第２の出口とを更に具備する、本体と、
該入口が水蛇口に流体的に連絡する状態で、該本体を前記水蛇口に固定するための手段と、
該本体内で静止するセラミック製ディスクと、
該静止したディスクに係合していて、該本体内で可動に配設されるセラミック製ディスクと、
該可動なディスクを、該入口が該第２の出口に連絡していて該第２の入口が該第１の出口に連絡している第１の位置と、該入口が該第２の出口に連絡している第２の位置と、の内の１つに選択的に移動するための手段と、
を具備しており、
該可動なディスクは、該第２の位置にある場合に、該第２の出口及び該第２の入口を能動的にシールする、
セラミック製ディスクダイバータバルブ。
【請求項２】  該本体は、第３の出口を具備しており、該移動のための手段は、該入口が該第３の出口に連絡している第３の位置に該可動なディスクを移動するための手段を更に具備しており、該可動なディスクは、該第３のモードにある場合に、該第２の出口と該第２の入口を能動的にシールしており、更に
該第２の出口と該第３の出口の内の１つはストリーム出口であり、該第１又は第２の出口の内の他方はスプレイ出口である、
請求項１に記載のセラミック製ディスクダイバータバルブ。
【請求項３】  該静止したディスクには、スプレイ孔と、ストリーム孔と、供給孔と、が形成されており、
該可動なディスクには供給孔が形成されており、
該可動なディスク供給孔は、該ダイバータが該第１の位置にある場合に、該静止したディスク供給孔に整列しており、
該可動なディスク供給孔は、該ダイバータが該第２の位置にある場合に、該ストリーム孔に整列しており、
該可動なディスク供給孔は、該ダイバータが該第３の位置にある場合に、該スプレイ孔に整列する、
請求項１に記載のセラミック製ディスクダイバータバルブ。
【請求項４】  該静止したディスクには、戻り孔と処理出口孔とが形成されており、
該可動なディスクには溝が形成されており、該溝は、該可動なディスクが該第１の位置にある場合に、該戻り孔と該出口孔とを相互接続する、
請求項３に記載のセラミック製ディスクダイバータバルブ。
【請求項５】  セラミック製ディスクダイバータバルブにおいて、このセラミック製ディスクダイバータバルブは、
水蛇口に搭載可能な入口を有するダイバータバルブ本体と、
流れにおいて処理されない水を吐出するための該ダイバータバルブ本体上のストリーム出口手段と、
スプレイにおいて処理されない水を吐出するための該ダイバータバルブ本体上のスプレイ出口手段と、
処理された水を吐出するための該ダイバータバルブ本体上の処理水出口手段と、
水を水処理装置の方向に流すための該ダイバータバルブ本体上の第２の出口手段と、
前記水処理装置からの処理された水を受けるための該ダイバータバルブ本体上の第２の入口手段と、
該ダイバータバルブ本体内に配設された第１の静止したセラミック製ディスクと、
該第１のディスクに隣接する該ダイバータバルブ本体内に可動に搭載された可動なセラミック製ディスクと、
該入口が該第２の出口に連絡していて、該第２の入口が該処理出口に連絡している、第１の位置と、
該入口が該ストリーム出口手段に連絡していて、該可動なディスクが該第２の入口と該第２の出口をシールする、第２の位置と、
該入口が該スプレイ出口手段に連絡していて、該可動なディスクが該第２の入口と該第２の出口をシールする、第３の位置と、の内の１つに該可動なセラミック製ディスクを移動するための手段と、
を具備するセラミック製ディスクダイバータバルブ。
【請求項６】  セラミック製ディスクダイバータバルブにおいて、このセラミック製ディスクダイバータバルブは、
本体であって、水蛇口に搭載可能な入口と、
流れにおいて処理されない水を吐出するためのストリーム出口手段と、
スプレイにおいて処理されない水を吐出するためのスプレイ出口手段と、
処理された水を吐出するための処理水出口手段と、
水を水処理装置の方向に流すための第２の出口手段と、
前記水処理装置からの方向において処理された水を流すための第２の入口手段と、
を有する本体と、
該ダイバータバルブ本体内に配設された第１と第２の静止したセラミック製ディスクと、
該第１のディスクと該第２のディスクとの間において該ダイバータバルブ本体内に可動に搭載された可動なセラミック製ディスクと、
を具備しており、
該可動なセラミック製ディスクは、
該入口が該第２の出口に連絡していて、該第２の入口が該処理出口に連絡している、第１の位置と、
該入口が該ストリーム出口手段に連絡していて、該可動なディスクが該第２の入口と該第２の出口をシールする、第２の位置と、
該入口が該スプレイ出口手段に連絡していて、該可動なディスクが該第２の入口と該第２の出口をシールする、第３の位置と、の内の１つに選択的に該可動なセラミック製ディスクを移動するための一体式のハンドルを具備する、
セラミック製ディスクダイバータバルブ。
【請求項７】  該第１の静止したディスクと該本体との間に配設されたガスケットと、
該第１の静止したディスクと該ガスケットを、該第２の静止したディスクと該可動なディスクに対して独立する該本体にクランプするためのクランプ手段と、
を更に具備する、請求項５又は６のいずれかに記載のセラミック製ディスクダイバータバルブ。
【請求項８】  該クランプ手段は、該第１の静止したディスクと該ガスケットを通り該本体内に伸張する、ネジを具備する請求項７に記載のセラミック製ディスクダイバータバルブ。
【請求項９】  該可動なセラミックディスクを移動するための該手段は、該可動なセラミックディスクから伸張するハンドルを具備する請求項２又は８のいずれかに記載のセラミック製ディスクダイバータバルブ。
【請求項１０】  該ハンドルは該可動なセラミックディスクと一体である請求項９に記載のセラミック製ディスクダイバータバルブ。
【請求項１１】  該静止したディスクと該本体との間に配設されたガスケットと、
該静止したディスクと該ガスケットを、該可動なディスクに対して独立する該本体にクランプするためのクランプ手段と、
を更に具備する、請求項１０に記載のセラミック製ディスクダイバータバルブ。
【請求項１２】  該クランプ手段は、該静止したディスクと該ガスケットを通り該本体内に伸張する、ネジを具備する請求項１１に記載のセラミック製ディスクダイバータバルブ。
【請求項１３】  該ハンドルが該本体から突き出る、該セラミック製ディスクダイバータバルブは、該本体の周りに搭載されたセレクタリングを更に具備しており、該セレクタリングは該ハンドルに、作動するように接続される、
請求項８，１０，１２のいずれか一項に記載のセラミック製ディスクダイバータバルブ。
【請求項１４】  該本体内に第２の静止したセラミック製ディスクを更に具備しており、該第１と第２の静止したディスクは、該可動なディスクの対向する側に配設される請求項１３に記載のセラミック製ディスクダイバータバルブ。
【請求項１５】  該本体内の該可動なディスクと該第２の静止したディスクとを固定するヘッドナットを更に具備する請求項１３又は１４のいずれかに記載のセラミック製ディスクダイバータバルブ。
【請求項１６】  該可動なディスクに隣接して搭載された第２の静止したディスクを更に具備しており、該可動なディスクは、該第１の静止したディスクと該第２の静止したディスクとの間に配設されており、
該本体内の該可動なディスクと該第２の静止したディスクとを固定するヘッドナットを更に具備する請求項１３に記載のセラミック製ディスクダイバータバルブ。
【請求項１７】  該第１の静止したディスクには、スプレイ孔と、ストリーム孔と、供給孔と、が形成されており、
該可動なディスクには供給孔が形成されており、
該可動なディスク供給孔は、該ダイバータが該第１の位置にある場合に、該第１の静止したディスク供給孔に整列しており、
該可動なディスク供給孔は、該ダイバータが該第２の位置にある場合に、該ストリーム孔に整列しており、
該可動なディスク供給孔は、該ダイバータが該第３の位置にある場合に、該スプレイ孔に整列する、
請求項１６に記載のセラミック製ディスクダイバータバルブ。
【請求項１８】  該第１の静止したディスクには戻り孔と処理出口孔とが形成されており、
該可動なディスクは溝を具備しており、該溝は、該可動なディスクが該第１の位置にある場合に、該戻り孔と該出口孔とを相互接続する、
請求項１７に記載のセラミック製ディスクダイバータバルブ。
【請求項１９】  該第１の静止したセラミック製ディスクには、スプレイ孔と、ストリーム孔と、供給孔と、が形成されており、
該可動なディスクには供給孔が形成されており、
該可動なディスク供給孔は、該ダイバータが該第１の位置にある場合に、該静止したディスク供給孔に整列しており、
該可動なディスク供給孔は、該ダイバータが該第２の位置にある場合に、該ストリーム孔に整列しており、
該可動なディスク供給孔は、該ダイバータが該第３の位置にある場合に、該スプレイ孔に整列する、
請求項１５に記載のセラミック製ディスクダイバータバルブ。
【請求項２０】  該第１の静止したセラミック製ディスクには、戻り孔と処理出口孔とが形成されており、
該可動なディスクには溝が形成されており、該溝は、該可動なディスクが該第１の位置にある場合に、該戻り孔と該出口孔とを相互接続する、
請求項１９に記載のセラミック製ディスクダイバータバルブ。